(57)【要約】【課題】安全性および長期信頼性に優れた生体情報検出装置を提供する。【解決手段】本開示の一実施の形態に係る生体情報検出装置は、口腔内に設置されるものであって、光を発することのできる発光素子、および発光素子から発せられた光を受光可能な受光素子を含むセンサと、発光素子を覆うと共に光を透過可能な第１の透光部分および受光素子を覆うと共に光を透過可能な第２の透光部分を含み、センサを密封する封止部材と、歯および歯茎のうちの少なくとも一方に取り付けられて封止部材を保持可能な保持部材とを有する。【選択図】図２
2020014769.tif 000002
【特許請求の範囲】
【請求項１】
口腔内に設置される生体情報検出装置であって、
光を発することのできる発光素子、および前記発光素子から発せられた前記光を受光可能な受光素子を含むセンサと、
前記発光素子を覆うと共に前記光を透過可能な第１の透光部分および前記受光素子を覆うと共に前記光を透過可能な第２の透光部分を含み、前記センサを密封する封止部材と、
歯および歯茎のうちの少なくとも一方に取り付けられて前記封止部材を保持可能な保持部材と
を有する生体情報検出装置。
【請求項２】
前記発光素子は、前記第１の透光部分を介して前記歯茎と対向するように配置され、
前記受光素子は、前記第２の透光部分を介して前記歯茎と対向するように配置されている
請求項１記載の生体情報検出装置。
【請求項３】
前記発光素子は、前記第１の透光部分を介して頬の内面と対向するように配置され、
前記受光素子は、前記第２の透光部分を介して前記頬の内面と対向するように配置されている
請求項１記載の生体情報検出装置。
【請求項４】
前記光は、４００ｎｍ以上１０００ｎｍ以下の波長を有する
請求項１から請求項３のいずれか１項に記載の生体情報検出装置。
【請求項５】
前記封止部材に封止され、前記センサに電力を供給する電池をさらに有する
請求項１から請求項４のいずれか１項に記載の生体情報検出装置。  
【請求項６】
前記封止部材に封止され、前記電池からの電力供給を受けて前記センサからの出力信号に基づきデータ信号を生成する信号処理部と、
前記封止部材に封止され、前記電池からの電力供給を受けて前記信号処理部からの前記データ信号を外部装置に送信可能であると共に前記外部装置からの制御信号を受信可能である送受信部と
をさらに有する
請求項５記載の生体情報検出装置。
【請求項７】
前記第１の透光部分および前記第２の透光部分は、熱可塑性高分子化合物により形成されている
請求項１から請求項６のいずれか１項に記載の生体情報検出装置。
【請求項８】
前記センサは、脈波センサ、パルスオキシメータまたはグルコースセンサである
請求項１から請求項７のいずれか１項に記載の生体情報検出装置。
【請求項９】
前記保持部材および前記封止部材は、一体に形成されたマウスピースである
請求項１から請求項８のいずれか１項に記載の生体情報検出装置。
【請求項１０】
物理量を測定する他のセンサをさらに有する
請求項１から請求項９のいずれか１項に記載の生体情報検出装置。
【請求項１１】
光を発することのできる発光素子、および前記発光素子から発せられた前記光を受光可能な受光素子を含むセンサと、
前記発光素子を覆うと共に前記光を透過可能な第１の透光部分および前記受光素子を覆うと共に前記光を透過可能な第２の透光部分を含み、前記センサを密封する封止部材と
を有する生体情報検出モジュール。
【請求項１２】
口腔内に設置される生体情報検出装置の製造方法であって、
光を発することのできる発光素子、および前記発光素子から発せられた前記光を受光可能な受光素子を含むセンサを用意することと、
前記センサを一対の封止フィルムの間に挟んだのち、前記一対の封止フィルムを加熱しつつモールド成型することにより、前記センサが密封された封止部材を形成することと、
歯および歯茎のうちの少なくとも一方に取り付けられて前記封止部材を保持することとなる保持部材を形成することと
を含む生体情報検出装置の製造方法。
【請求項１３】
前記封止部材および前記保持部材を、前記モールド成型により一括形成する
請求項１２記載の生体情報検出装置の製造方法。
【請求項１４】
光を発することのできる発光素子、および前記発光素子から発せられた前記光を受光可能な受光素子を含むセンサを用意することと、
前記センサを一対の封止フィルムの間に挟んだのち、前記一対の封止フィルムを加熱しつつモールド成型することにより、前記センサが密封された封止部材を形成することと
を含む生体情報検出モジュールの製造方法。
【発明の詳細な説明】
【技術分野】
【０００１】
本開示は、被験者の生体情報を検出する生体情報検出モジュールおよびそれを備えた生体情報検出装置、ならびにそれらの製造方法に関する。
【背景技術】
【０００２】
これまでに、口腔内に設置して生体情報を得る生体モニタがいくつか提案されている（例えば特許文献１および２参照）。
【先行技術文献】
【特許文献】
【０００３】
【特許文献１】特開２００４−１６７１２０号公報
【特許文献２】米国特許第８７７１１４９号公報
【発明の概要】
【発明が解決しようとする課題】
【０００４】
このような装置においては、高い安全性を確保しつつ、長期に亘って正確な動作が維持されることが望まれる。よって、安全性および長期信頼性に優れた生体情報検出モジュールおよび生体情報検出装置、ならびにそれらの製造方法を提供することが望ましい。
【課題を解決するための手段】
【０００５】
本開示の一実施の形態に係る生体情報検出装置は、口腔内に設置されるものであって、センサと、封止部材と、保持部材とを有する。センサは、光を発することのできる発光素子、およびその発光素子から発せられた光を受光可能な受光素子を含む。封止部材は、発光素子を覆うと共に光を透過可能な第１の透光部分および受光素子を覆うと共に光を透過可能な第２の透光部分を含み、センサを密封するものである。保持部材は、歯および歯茎のうちの少なくとも一方に取り付けられて封止部材を保持可能なものである。
【発明の効果】
【０００６】
本開示の一実施の形態に係る生体情報検出装置によれば、センサが封止部材により密封されているので、センサに対する高い防水性と、生体に対する高い安全性との双方が確保され、優れた長期信頼性が得られる。
【図面の簡単な説明】
【０００７】
【図１】本開示の一実施の形態に係る生体情報検出装置の外観を表す斜視図である。
【図２】図１に示した生体情報検出装置の概略断面構成例を表す断面図である。
【図３】図１に示した生体情報検出装置の、口腔内での設置例を表す斜視図である。
【図４】図１に示した生体情報検出装置の全体構成例を表すブロック図である。
【図５】図１に示した光センサの受光素子へ適用可能な各デバイスの受光波長域を表す特性図である。
【図６Ａ】図１に示した生体情報検出装置の製造方法の一工程を表す説明図である。
【図６Ｂ】図６Ａに続く一工程を表す説明図である。
【図７】本開示の変形例１としての生体情報検出装置の概略構成例を表す断面図である。
【図８】本開示の変形例２としての生体情報検出装置の概略構成例を表す断面図である。
【図９】本開示の変形例２としての生体情報検出装置の概略構成例を表す斜視図である。
【発明を実施するための形態】
【０００８】
以下、本開示の実施の形態について、図面を参照して詳細に説明する。なお、説明は以下の順序で行う。
１．実施の形態（歯茎からの反射光を受光する光センサを密封したマウスピース状の生体情報検出装置の例。）
２．変形例
変形例１（歯茎以外の部分からの反射光を受光する生体情報検出装置の例。）
変形例２（歪センサを有する生体情報検出装置の例。）
変形例３（加速度センサを有する生体情報検出装置の例。）
３．その他の変形例
【０００９】
＜１．実施の形態＞
［生体情報検出装置１の全体構成］
図１は、本開示の一実施の形態に係る生体情報検出装置１の概略構成例を模式的に斜視図にて表したものである。また、図２は、生体情報検出装置１の概略構成例を模式的に断面図にて表したものである。また、図３は、生体情報検出装置１の使用状態の一例を表す斜視図である。さらに図４は、生体情報検出装置１に含まれる生体情報検出モジュール２の構成を表すブロック図である。
【００１０】
図３に示したように、生体情報検出装置１は、口腔内に設置されるものであって、例えば一部の歯Ｔおよび一部の歯茎Ｇを覆うように設置される。
【００１１】
図１に示したように、生体情報検出装置１は、歯Ｔおよび歯茎Ｇを覆うシェル１０と、そのシェル１０に内蔵された生体情報検出モジュール２とを備えている。
【００１２】
シェル１０は、歯Ｔを覆う上部１０Ａと、歯茎Ｇを覆う下部１０Ｂとが一体化されたマウスピース状のものであり、例えば熱可塑性高分子化合物などにより構成されている。熱可塑性高分子化合物としては、例えばポリエチレン、ポリウレタンおよびアクリルなどを含有するものが適用できる。下部１０Ｂには、外部から封止されるように生体情報検出モジュール２が埋め込まれている。したがって、シェル１０の下部１０Ｂは、本開示の「封止部材」に対応する一具体例である。このように、生体情報検出モジュール２はシェル１０の下部１０Ｂに埋め込まれているので、口腔内の唾液や飲料等の水分、および外気から確実に遮断される。また、シェル１０の上部１０Ａは下部１０Ｂと一体化されているので、封止部材としての下部１０Ｂを保持する本開示の「保持部材」の一具体例に対応する。なお、図１では、説明の都合上、視認性を向上させるため、シェル１０のうち生体情報検出モジュール２を覆う部分を取り去った状態を表している。しかしながら、実際には生体情報検出モジュール２はシェル１０により覆われることとなるので、シェル１０が透明である場合を除き、外部から視認することはできない。
【００１３】
生体情報検出モジュール２は、例えば実装基板１１に、電池６と、送受信モジュール８と、光センサ５とが配置されたものである（図１，２，４参照）。
【００１４】
実装基板１１は、例えば配線がプリントされたシート状のフレキシブル基板である。
【００１５】
電池６は、光センサ５および送受信モジュール８に対し、それら光センサ５および送受信モジュール８を駆動するための電力を供給する電源として機能する。電池６は、例えばボタン型やコイン型の一次電池である。あるいは、電池６として、非接触充電が可能なものであれば、二次電池を適用してもよい。さらに、電池６の構造は特に限定されるものではなく、例えば金属箔とラミネートフィルムとを貼り合わせた外装を有し、可撓性に優れた電池であってもよい。
【００１６】
送受信モジュール８は、例えば図４に示したように、送受信部３と、信号処理部４とを有している。一般的には、送受信部３と信号処理部４とが一体化されたチップで流通している。送受信部３は、生体情報検出モジュール２の外部に設けられたネットワーク接続器７との無線方式でのデータ通信を行うアンテナである。なお、ネットワーク接続器７は、パーソナルコンピュータやタブレット端末、あるいはスマートフォンなどの、インターネット等のネットワークに接続可能な通信デバイスである。また、信号処理部４は、例えばメモリやマイクロプロセッサ、アナログ−デジタル（Ａ／Ｄ）コンバータなどを含む信号処理回路である。信号処理部４には、光センサ５からの検出信号（出力信号）が入力されるようになっている。信号処理部４は、電池６からの電力供給を受けて駆動し、光センサ５からの出力信号に基づき、送受信部３において送信可能なデジタルデータ信号を生成する。送受信部３は、電池６からの電力供給を受けて駆動し、信号処理部４からのデジタルデータ信号を、ネットワーク接続器７を介して外部ネットワークに無線送信可能である。さらに、送受信部３は、外部ネットワークからの制御信号を、ネットワーク接続器７を介して無線受信可能である。なお、図１等では、実装基板１１が矩形状の平面形状を有し、電池６と、送受信モジュール８と、光センサ５とが一列に並ぶように配置されているが、本開示はそれに限定されるものではなく、電池６、送受信モジュール８および光センサ５のレイアウトを任意に設定できる。
【００１７】
光センサ５は、例えば反射型光電センサであり、光を発することのできる発光ダイオードなどの発光素子５Ａと、その発光素子５Ａから発せられた光を受光可能なフォトダイオードなどの受光素子５Ｂとを含むものである。発光素子５Ａから発せられる光は、例えば４００ｎｍ以上１０００ｎｍ以下の波長を有する。生体情報検出モジュール２を覆うシェル１０の下部１０Ｂのうち、発光素子５Ａを覆う部分は、発光素子５Ａから発せされた光を透過可能な第１の透光部分１０Ｔ１となっている（図２参照）。また、シェル１０の下部１０Ｂのうち、受光素子５Ｂを覆う部分は、発光素子５Ａから発せされたのち歯茎Ｇの内部もしくは歯茎Ｇの表面近傍において反射した光を透過可能な第２の透光部分１０Ｔ２となっている（図２参照）。第１の透光部分１０Ｔ１および第２の透光部分１０Ｔ２も熱可塑性高分子化合物により形成されているとよい。なお、第１の透光部分１０Ｔ１の構成材料と第２の透光部分１０Ｔ２の構成材料とが実質的に同じ材料、例えば上述した熱可塑性高分子化合物のうちの透明なものにより形成されているとよい。さらに、第１の透光部分１０Ｔ１と第２の透光部分１０Ｔ２とが分離されておらず、連続して形成されていてもよい。一括形成に有利だからである。また、下部１０Ｂの全体が透明体であってもよいし、下部１０Ｂに上部１０Ａをも含めたシェル１０の全体が透明体であってもよい。すなわち、シェル１０は、発光素子５Ａを覆う第１の透光部分１０Ｔ１および受光素子５Ｂを覆う第２の透光部分１０Ｔ２（これらをまとめて透光部分１０Ｔという。）が透光性を有していればよく、透光部分１０Ｔ以外の部分は遮光性を有していても透光性を有していてもよい。
【００１８】
発光素子５Ａは、第１の透光部分１０Ｔ１を介して歯茎Ｇと対向するように配置され、受光素子５Ｂは、第２の透光部分１０Ｔ２を介して歯茎Ｇと対向するように、発光素子５Ａに近接して配置されている。したがって、発光素子５Ａから発せられた光は、シェル１０の第１の透光部分１０Ｔ１を透過して歯茎Ｇに到達して歯茎Ｇにおいて反射する。歯茎Ｇからの反射光は、シェル１０の第２の透光部分１０Ｔ２を透過して受光素子５Ｂに入射するようになっている。受光素子５Ｂに入射する反射光は、例えば血流量などの生体情報を含んでいる。光センサ５は、例えば、上述の生体情報を用いて脈波を検出する脈波センサであり、上述の生体情報を用いて経皮的動脈血酸素飽和度（SpO2）および脈拍数を検出するパルスオキシメータであり、あるいは、上述の生体情報を用いてグルコース濃度を検出するグルコースセンサである。なお、光センサ５の受光素子５Ｂは、取得を目的とする生体情報の種類により、受光波長域が異なる。図５は、各種生体情報の取得に適したデバイスにおける受光波長域を表している。図５に示したように、脈波センサの受光素子５Ｂとしては５７０ｎｍ前後の波長の光を受光可能なものが用いられ、経皮的動脈血酸素飽和度を測定するパルスオキシメータの受光素子５Ｂとしては約６００ｎｍ〜１０００ｎｍ程度の波長の光を受光可能なものが用いられ、グルコース濃度を検出するグルコースセンサの受光素子５Ｂとしては７５０ｎｍ前後の波長の光を受光可能なものが用いられる。
【００１９】
［生体情報検出装置１の製造方法］
次に、生体情報検出装置１の製造方法について、上記図１〜図４に加えて図６Ａおよび図６Ｂを参照して説明する。図６Ａは、生体情報検出装置１の製造方法の一工程を表す説明図であり、図６Ｂは、図６Ａに続く一工程を表す説明図である。なお、図６Ａおよび図６Ｂは、本製造工程の説明に関する主要な部材のみを記載した概略図である。
【００２０】
この生体情報検出装置１を製造するにあたっては、まず、上述の生体情報検出モジュール２を用意する。次に、この生体情報検出モジュール２を、例えば図６Ａに示したように、熱可塑性高分子化合物からなる２枚の封止フィルム９Ａ，９Ｂの間に載置する。ここで、封止フィルム９Ａは保持部材２１に保持されており、封止フィルム９Ｂは保持部材２１に保持されている。その一方で、この生体情報検出装置１を装着する予定のユーザの歯Ｔおよび歯茎Ｇに整合した歯型２３を用意する。歯型２３は、例えば型押しや３Ｄプリンタなどにより成形することができる。そののち、封止フィルム９Ａ，９Ｂのうちの光センサ５の近傍部分を、ヒータ２４により２８０℃程度の温度で加熱しつつ、図６Ｂに示したように、歯型２３を封止フィルム９Ａ，９Ｂに押し付けてモールド成形を行う。なお、ヒータ２４による加熱温度は上述の２８０℃に限定されるものではなく、例えば１００℃〜３００℃の範囲で任意に設定可能である。モールド成形の際には、歯型２３の抜き穴２３Ｈから歯型２３と封止フィルム９Ａ，９Ｂとの隙間の空気を排出することで、歯型２３の表面２３Ｓと封止フィルム９Ａ，９Ｂとを密着させる。これにより、封止フィルム９Ａ，９Ｂが歯型２３の表面２３Ｓに沿った形状に変形しつつ、溶着される。そののち、歯型２３および溶着された封止フィルム９Ａ，９Ｂを冷却することにより、マウスピース状のシェル１０が得られる。シェル１０を歯型２３から剥離することにより、生体情報検出装置１が得られる。
【００２１】
なお、本実施の形態では、保持部材としての上部１０Ａと封止部材としての下部１０Ｂとを歯型２３を用いたモールド成型により一括形成するようにしたが、例えば上述の真空成形により下部１０Ｂのみを作製すると共に、例えば歯Ｔと係合する金具などの保持部材を、下部１０Ｂと接合するようにしてもよい。また、図６Ａおよび図６Ｂでは、極めて簡略化された形状の表面２３Ｓを有する歯型２３を例示しているが、実際には歯型２３の表面２３Ｓは個々のユーザに応じた固有の形状を有する。
【００２２】
［作用・効果］
このように、本実施の形態の生体情報検出モジュール２および生体情報検出装置１によれば、光センサ５により生体情報を含む出力信号を取得し、その出力信号を、信号処理部４を介して送受信部３からネットワーク接続器７へ送信し、さらには外部のネットワークへ送信することができる。この出力信号を解析することにより、生体情報検出装置１が装着されるユーザである患者の、疾患に起因する特異的な生体情報を得ることができる。また、健康なユーザにおける日常の健康状態の変化を把握して、その健康状態の維持管理を行うこともできる。これらの情報はユーザ本人や担当医にとって非常に有益な情報となりうる。
【００２３】
従来の技術においても、例えば上述の特許文献１および特許文献２などに開示されているように、口腔内にセンサを設置して生体情報を検出することは試みられていた。しかしながら、センサモジュールにおけるセンサの一部もしくはセンサ全体や、センサモジュールにおけるその他の構成部材の一部もしくはその他の構成部材の全部が口腔内に暴露されている。このため、生体への影響が懸念されるうえ、センサの劣化やセンサモジュールの劣化が生じやすいと考えられる。これに対し、生体情報検出モジュール２および生体情報検出装置１によれば、光センサ５は封止部材としてのシェル１０により密封されているので、高い防水性および高い安全性が確保される。よって、生体情報検出モジュール２および生体情報検出装置１は、従来の生体情報検出モジュールに比べて長期信頼性に優れる。
【００２４】
また、生体情報検出モジュール２および生体情報検出装置１では、シェル１０の下部１０Ｂには第１の透光部分１０Ｔ１および第２の透光部分１０Ｔ２が設けられており、それらを介してシェル１０の下部１０Ｂの外界へ光を放出すると共に、その光を外界から取り込むようにしている。このため、シェル１０により密封されていても、光センサ５が例えば歯Ｔおよび歯茎Ｇなどから生体情報を精度よく得ることができる。これに対し、従来のセンサモジュールでは、センサを口腔内に暴露する必要があるので、センサ自体の腐食等の劣化を招来しやすいと考えられる。従来のセンサモジュールにおいて、仮にセンサの端子部のみを口腔内に暴露し、それ以外の部分を樹脂等によりモールドするなどしても、暴露部分とモールド部分との界面から水分が浸入する可能性は否定できず、長期信頼性の点で不十分である。
【００２５】
光センサ５は、下部１０Ｂを介して上部１０Ａにより保持されることから、光センサ５と、歯Ｔおよび歯茎Ｇとの相対位置が安定し、検出精度の向上が見込める。
【００２６】
また、光センサ５では、歯茎Ｇと対向配置された発光素子５Ａから光を歯茎Ｇへ照射し、歯茎Ｇからの反射光を、歯茎Ｇと対向配置された受光素子５Ｂにより検出するようにした。このため、例えば口腔外の皮膚に光を照射し、その反射光を検出するようにした場合と比較して、より高精度の生体情報が得られる。また、比較的安定した温度環境にある口腔内に生体情報検出モジュール２が常時配置されるので、生体情報検出モジュール２が口腔外、例えば腕や指に装着するようにした場合と比べ、より高精度の生体情報が得られる。
【００２７】
＜２．変形例＞
続いて、上記実施の形態の変形例（変形例１〜３）について説明する。なお、実施の形態における構成要素と同一のものには同一の符号を付し、適宜説明を省略する。
【００２８】
［変形例１］
上記実施の形態の生体情報検出装置１は、歯茎Ｇに光を照射し、歯茎Ｇからの反射光を受光することにより、生体情報を検出するようにしたものである。これに対し、図７に示した本開示の変形例１の生体情報検出装置１Ａは、口腔内の頬ＣＨの内面に光を照射し、頬ＣＨの内面からの反射光を受光することにより、生体情報を検出するものである。生体情報検出装置１Ａでは、発光素子５Ａは、第１の透光部分１０Ｔ１を介して頬ＣＨと対向するように配置され、受光素子５Ｂは、第２の透光部分１０Ｔ２を介して頬ＣＨと対向するように、発光素子５Ａに近接して配置されている。したがって、生体情報検出モジュール２を覆うシェル１０の下部１０Ｂのうちの透光部分１０Ｔは、生体情報検出モジュール２を挟んで歯茎Ｇと反対側に設けられている。生体情報検出装置１Ａは、これらの点を除き、他は上記実施の形態の生体情報検出装置１と実質的に同じ構成を有する。この生体情報検出装置１Ａにおいても、上記実施の形態の生体情報検出装置１と同様の効果が得られる。例えば被験者の歯茎Ｇの表面組織が良好ではなく安定した生体情報が得られにくいと判断される場合などに本変形例の生体情報検出装置１Ａは有用である。
【００２９】
［変形例２］
図８は、本開示の変形例２としての生体情報検出装置１Ｂの概略構成を表す断面図である。この生体情報検出装置１Ｂは、シェル１０のうち歯Ｔの歯冠部ＴＡを覆う部分に歪センサ３１を埋設するようにしたものである。歪センサ３１は、電池６と電力線により接続されると共に、信号処理部４と通信線により接続されている。歪センサ３１は、電池６からの電力供給を受け、信号処理部４に対し検出信号を送信するようになっている。生体情報検出装置１Ｂは、この点を除き、他は上記実施の形態の生体情報検出装置１と実質的に同じ構成を有する。したがって、この生体情報検出装置１Ｂにおいても、上記実施の形態の生体情報検出装置１と同様の効果が得られる。そのうえ、歪センサ３１を設けることにより、被験者が上顎の歯と下顎の歯とを咬み合せた際の咬合力や、歪センサ３１に触れる被験者の頬や舌の圧力を測定することができる。咬合力や頬および舌の圧力などの情報を用いることで、例えば義歯やインプラントなどの人工の歯に必要とされる構造物強度の情報や歯列情報を得ることができる。なお、歪センサ３１としては、例えば磁気歪みを利用した磁歪センサが適用可能である。また、歪センサ３１の代わりに圧電素子などを用いた圧力センサの適用可能性もある。
【００３０】
［変形例３］
図９は、本開示の変形例３としての生体情報検出装置１Ｃの概略構成を表す斜視図である。この生体情報検出装置１Ｃは、例えば生体情報検出モジュール２に、加速度センサ３２をさらに設けるようにしたものである。加速度センサ３２は、電池６と電力線により接続されると共に、信号処理部４と通信線により接続されている。加速度センサ３２は、電池６からの電力供給を受け、信号処理部４に対し検出信号を送信するようになっている。生体情報検出装置１Ｃは、この点を除き、他は上記実施の形態の生体情報検出装置１と実質的に同じ構成を有する。したがって、この生体情報検出装置１Ｃにおいても、上記実施の形態の生体情報検出装置１と同様の効果が得られる。そのうえ、加速度センサ３２を設けることにより、被験者の例えば上顎に対する下顎の動きを検出することができる。上顎と下顎との相対的な動きを検出することにより、例えば義歯やインプラントなどの人工の歯に必要とされる構造物強度の情報や、顎関節異常の有無などの診断に活用できる可能性がある。また、加速度センサ３２の代わりにジャイロセンサを用いてもよい。
【００３１】
＜３．その他の変形例＞
以上、実施の形態および変形例をいくつか挙げて本開示を説明したが、本開示はこれらの実施の形態等に限定されず、種々の変形が可能である。
【００３２】
例えば、上記実施の形態等では、連続する２つの歯冠部を覆うように装着されるシェル１０を有する生体情報検出装置１を例示したが、本開示の生体情報検出装置はこれに限定されるものではない。本開示の生体情報検出装置は、例えば１つの歯冠部のみを覆うように装着されるシェルを有するものであってもよいし、３以上の歯冠部を覆うように装着されるシェルを有するものであってもよい。但し、誤飲防止を考慮すると、できる限り大きなシェルを有することが望ましく、例えば下顎の全ての歯もしくは上顎の全ての歯を覆うサイズのシェルを有することがより望ましい。
【００３３】
また、上記実施の形態では、生体情報検出装置が１つの光センサを有する場合について説明したが、本開示の生体情報検出装置は２以上の光センサを有するようにしてもよい。さらに、上顎および下顎の双方に生体情報検出装置を装着するようにしてもよい。
【００３４】
なお、本明細書中に記載された効果はあくまで例示であって限定されるものではなく、また、他の効果があってもよい。
【００３５】
また、本開示は、以下のような構成を取ることも可能である。
（１）
口腔内に設置される生体情報検出装置であって、
光を発することのできる発光素子、および前記発光素子から発せられた前記光を受光可能な受光素子を含むセンサと、
前記発光素子を覆うと共に前記光を透過可能な第１の透光部分および前記受光素子を覆うと共に前記光を透過可能な第２の透光部分を含み、前記センサを密封する封止部材と、
歯および歯茎のうちの少なくとも一方に取り付けられて前記封止部材を保持可能な保持部材と
を有する生体情報検出装置。
（２）
前記発光素子は、前記第１の透光部分を介して前記歯茎と対向するように配置され、
前記受光素子は、前記第２の透光部分を介して前記歯茎と対向するように配置されている
上記（１）記載の生体情報検出装置。
（３）
前記発光素子は、前記第１の透光部分を介して頬の内面と対向するように配置され、
前記受光素子は、前記第２の透光部分を介して前記頬の内面と対向するように配置されている
上記（１）記載の生体情報検出装置。
（４）
前記光は、４００ｎｍ以上１０００ｎｍ以下の波長を有する
上記（１）から（３）のいずれか１つに記載の生体情報検出装置。
（５）
前記封止部材に封止され、前記センサに電力を供給する電池をさらに有する
上記（１）から（４）のいずれか１つに記載の生体情報検出装置。
（６）
前記封止部材に封止され、前記電池からの電力供給を受けて前記センサからの出力信号に基づきデータ信号を生成する信号処理部と、
前記封止部材に封止され、前記電池からの電力供給を受けて前記信号処理部からの前記データ信号を外部装置に送信可能であると共に前記外部装置からの制御信号を受信可能である送受信部と
をさらに有する
上記（５）に記載の生体情報検出装置。
（７）
前記第１の透光部分および前記第２の透光部分は、熱可塑性高分子化合物により形成されている
上記（１）から（６）のいずれか１つに記載の生体情報検出装置。
（８）
前記センサは、脈波センサ、パルスオキシメータまたはグルコースセンサである
上記（１）から（７）のいずれか１つに記載の生体情報検出装置。
（９）
前記保持部材および前記封止部材は、一体に形成されたマウスピースである
上記（１）から（８）のいずれか１つに記載の生体情報検出装置。
（１０）
物理量を測定する他のセンサをさらに有する
上記（１）から（９）のいずれか１つに記載の生体情報検出装置。
（１１）
光を発することのできる発光素子、および前記発光素子から発せられた前記光を受光可能な受光素子を含むセンサと、
前記発光素子を覆うと共に前記光を透過可能な第１の透光部分および前記受光素子を覆うと共に前記光を透過可能な第２の透光部分を含み、前記センサを密封する封止部材と
を有する生体情報検出モジュール。
（１２）
口腔内に設置される生体情報検出装置の製造方法であって、
光を発することのできる発光素子、および前記発光素子から発せられた前記光を受光可能な受光素子を含むセンサを用意することと、
前記センサを一対の封止フィルムの間に挟んだのち、前記一対の封止フィルムを加熱しつつモールド成型することにより、前記センサが密封された封止部材を形成することと、
歯および歯茎のうちの少なくとも一方に取り付けられて前記封止部材を保持することとなる保持部材を形成することと
を含む生体情報検出装置の製造方法。
（１３）
前記封止部材および前記保持部材を、前記モールド成型により一括形成する
上記（１２）記載の生体情報検出装置の製造方法。
（１４）
光を発することのできる発光素子、および前記発光素子から発せられた前記光を受光可能な受光素子を含むセンサを用意することと、
前記センサを一対の封止フィルムの間に挟んだのち、前記一対の封止フィルムを加熱しつつモールド成型することにより、前記センサが密封された封止部材を形成することと
を含む生体情報検出モジュールの製造方法。
【符号の説明】
【００３６】
１，１Ａ〜１Ｃ…生体情報検出装置、２…生体情報検出モジュール、３…送受信部、４…信号処理部、５…光センサ、６…電池、７…ネットワーク接続器、８…送受信モジュール、９Ａ，９Ｂ…封止フィルム、１０…シェル、１１…実装基板、２３…歯型、２４…ヒータ、３１…歪センサ、３２…加速度センサ、Ｇ…歯茎、Ｔ…歯。
【図１】
2020014769.tif 000003
【図２】
2020014769.tif 000004
【図３】
2020014769.tif 000005
【図４】
2020014769.tif 000006
【図５】
2020014769.tif 000007
【図６Ａ】
2020014769.tif 000008
【図６Ｂ】
2020014769.tif 000009
【図７】
2020014769.tif 000010
【図８】
2020014769.tif 000011
【図９】
2020014769.tif 000012